(57)【特許請求の範囲】
【請求項１】
テープと共に使用されるテープドライブであって、
前記テープに対して読出しおよび/または書込み動作を行なうためのヘッドと、
前記テープと協動可能であり、前記テープドライブのテープパスに沿って前記テープを移動するためのドライブリーダと、
前記テープを巻き戻すための巻戻し機構と、を備え、
前記ドライブリーダおよび/またはカートリッジリーダは、前記ヘッドから離して前記テープに取り付けられて前記ドライブリーダの少なくとも一部を前記ヘッドに接触することなく前記ヘッドのそばを通過させ、
前記巻戻し機構は、前記テープ、前記カートリッジリーダ、および/または前記ドライブリーダと係合可能な可動ピンを含み、
前記可動ピンは、前記ヘッド近傍の第１の位置から第１の位置よりも前記ヘッドから離れて配置された第２の位置へと移動可能であり、
前記巻戻し機構は、前記ヘッドによる前記テープの動きを容易にするためのテープスタビライザを含むテープスタビライザ配列をさらに含み、前記可動ピンは前記スタビライザ配列によって支持されている、テープドライブ。
【請求項２】
前記ドライブリーダが前記ヘッドと前記テープスタビライザとの間に配置されているときに、前記可動ピンおよび前記テープスタビライザは前記ドライブリーダの両側に位置することが可能である、請求項１に記載のテープドライブ。
【請求項３】
前記巻戻し機構は、前記テープスタビライザ配列に対応付けられたリンクと、前記テープスタビライザ配列を移動するように前記リンクを移動するためのモーターとをさらに含む、請求項１または２に記載のテープドライブ。
【請求項４】
前記リンクと前記モーターとの間に配設される主ねじをさらに備え、前記モーターは前記主ねじを回転させて前記リンクを移動するように動作可能である、請求項３に記載のテープドライブ。
【請求項５】
前記リンクは、前記テープスタビライザ配列を摺動可能に収容するスロットを含む、請求項４に記載のテープドライブ。
【請求項６】
テープと共に使用されるテープドライブであって、
前記テープに対する読出しおよび/または書込み動作を行なうための第１のヘッドおよび第２のヘッドと、
前記テープと協動可能であり、前記ドライブのテープパスに沿って前記テープを移動するためのドライブリーダと、
前記第１のヘッドおよび前記第２のヘッドによる前記テープの動きをそれぞれ容易にするための第１のテープスタビライザおよび第２のテープスタビライザと、
前記第１のテープスタビライザおよび前記第２のテープスタビライザを異なる方向にそれぞれ前記第１のヘッドおよび前記第２のヘッドから同時に遠ざけて、前記ドライブリーダの少なくとも一部を前記第１のヘッドおよび前記第２のヘッドに接触することなく前記テープスタビライザと前記第１のヘッドおよび前記第２のヘッドとの間で通すための巻戻し機構と、
を備えるテープドライブ。
【請求項７】
前記巻戻し機構は、前記第１のテープスタビライザおよび前記第２のテープスタビライザに対応付けられたリンクと、前記テープスタビライザを移動するように前記リンクを移動するためのモーターとを含む、請求項６に記載のテープドライブ。
【請求項８】
前記リンクはタイバーを含む、請求項７に記載のテープドライブ。
【請求項９】
前記第１のヘッドおよび前記第２のヘッドを支持するためのドライブ本体をさらに備え、前記リンクは前記ドライブ本体に対して旋回可能および平行移動可能である、請求項７または８に記載のテープドライブ。
【請求項１０】
前記リンクと前記モーターとの間に配設される主ねじをさらに備え、前記モーターは前記主ねじを回転させて前記リンクを移動するように動作可能である、請求項７〜９のいずれかに記載のテープドライブ。
【請求項１１】
前記巻戻し機構は、前記第１のテープスタビライザおよび前記第２のテープスタビライザをそれぞれ支持する第１の移動可能なスタビライザマウントおよび第２の移動可能なスタビライザマウントをさらに含み、前記リンクは前記スタビライザマウントに接続されている、請求項７〜１０のいずれかに記載のテープドライブ。
【請求項１２】
前記リンクは、前記第１のスタビライザマウントおよび前記第２のスタビライザマウントをそれぞれ摺動可能に収容する第１のスロットおよび第２のスロットを含む、請求項１１に記載のテープドライブ。
【請求項１３】
前記第１のヘッドおよび前記第２のヘッドを支持するためのドライブ本体をさらに備え、前記ドライブ本体は、前記第１のスタビライザマウントおよび前記第２のスタビライザマウントとそれぞれ係合可能であり、前記スタビライザマウントの動きを案内するための第１のガイドスロットおよび第２のガイドスロットを含む、請求項１１または１２に記載のテープドライブ。
【請求項１４】
前記ドライブ本体は、前記第１のスタビライザマウントおよび前記第２のスタビライザマウントとそれぞれ係合可能であり、前記スタビライザマウントの動きを案内するための第３のガイドスロットおよび第４のガイドスロットをさらに含み、前記第３のガイドスロットおよび前記第４のガイドスロットは、それぞれ前記第１のガイドスロットおよび前記第２のガイドスロットから間隔を置いて並べられている、請求項１３に記載のテープドライブ。
【請求項１５】
前記巻戻し機構は、それぞれ前記第１のスタビライザマウントおよび前記第２のスタビライザマウントに支持されて前記第１のスタビライザマウントおよび前記第２のスタビライザマウントと共に移動可能な第１の係合部材および第２の係合部材をさらに含み、前記第１の係合部材および前記第２の係合部材は、前記第１のテープスタビライザおよび前記第２のテープスタビライザがそれぞれ前記第１のヘッドおよび前記第２のヘッドから遠ざけられて前記ドライブリーダの少なくとも一部を前記第１のヘッドおよび前記第２のヘッドと接触することなく前記第１のヘッドおよび前記第２のヘッドのそばを通過させる時に、前記テープおよび/またはドライブリーダを前記第１のヘッドおよび前記第２のヘッドから遠ざけるために、前記テープおよび/またはドライブリーダと係合可能である、請求項１１〜１４のいずれかに記載のテープドライブ。
【請求項１６】
前記第１の係合部材および前記第２の係合部材はピンとして形成されている、請求項１５に記載のテープドライブ。
【請求項１７】
前記ドライブリーダが前記第１のヘッドと前記第１のテープスタビライザとの間に位置している時に、前記第１の係合部材および前記第１のテープスタビライザは前記ドライブリーダの両側に位置することが可能である、請求項１５または１６に記載のテープドライブ。
【請求項１８】
テープパスを通じてテープリーダの接続場所を通過させるための方法であって、
第１のテープスタビライザおよび第２のテープスタビライザを別の方向にそれぞれ第１のヘッドおよび第２のヘッドから同時に遠ざけて、前記テープリーダの前記接続場所が前記第１のヘッドおよび前記第２のヘッドに接触することなく前記第１のヘッドおよび前記第２のヘッドを通り越して移動できるように、前記スタビライザと前記第１のヘッドおよび前記第２のヘッドとの間に十分な間隔を空けることを備える、方法。
【請求項１９】
前記テープリーダは前記接続場所でカートリッジリーダに取り付け可能であり、前記方法は、前記テープリーダおよび/または前記カートリッジリーダを係合部材と係合させ、前記係合部材を前記第１のヘッドおよび前記第２のヘッドのうちの１つのヘッドから遠ざけて前記テープリーダの少なくとも一部を前記１つのヘッドから遠ざけることをさらに備える、請求項１８に記載の方法。
【発明の詳細な説明】
【技術分野】
【０００１】
以下の開示は、テープドライブのテープパスを通じてテープリーダの動きを容易にするための装置および方法に関する。
【背景技術】
【０００２】
本願の譲受人に譲渡された米国特許第８，０３６，０８８号明細書は、光学テープ平坦化装置を支持する回転可能なテープ平坦化装置支持構造体を備える光学テープドライブシステムを開示している。この支持構造体は、動作位置と非動作位置との間で回転可能である。動作位置では、支持構造体は、光学テープ平坦化装置を位置決めして光ピックアップユニットを介して光学テープに対する情報の読出し/書込みを行なうように構成されている。非動作位置では、支持構造体は、光学テープ平坦化装置を位置決めして、光ピックアップユニットを損傷することなくテープドライブシステムを通じてテープリーダを通過させるように構成されている。
【発明の概要】
【課題を解決するための手段】
【０００３】
本開示に係るテープドライブは、テープと共に使用するために提供される。テープドライブは、テープに対して読出しおよび/または書込み動作を行なうためのヘッドと、テープと協動可能で、テープドライブのテープパスに沿ってテープを移動するためのドライブリーダと、テープを巻き戻すための巻戻し機構とを備え得る。ドライブリーダおよび/またはカートリッジリーダは、ヘッドから離してテープに取り付けられて、ドライブリーダの少なくとも一部をヘッドに接触することなくヘッドのそばを通過させる。巻戻し機構は、テープ、カートリッジリーダ、および/またはドライブリーダと係合可能な可動ピンを備え得る。ピンは、ヘッド近傍の第１の位置から第１の位置よりもヘッドから離れて配置された第２の位置へと移動可能である。
【０００４】
本開示に係る別の実施形態では、テープと共に使用されるテープドライブは、テープに対する読出しおよび/または書込み動作を行なうための第１のヘッドおよび第２のヘッドと、テープと協動可能で、ドライブのテープパスに沿ってテープを移動するためのドライブリーダとを備える。テープドライブは、第１のヘッドおよび第２のヘッドによるテープの動きをそれぞれ容易にするための第１のテープスタビライザおよび第２のテープスタビライザと、第１のテープスタビライザおよび第２のテープスタビライザを異なる方向にそれぞれ第１のヘッドおよび第２のヘッドから同時に遠ざけて、ドライブリーダの少なくとも一部をヘッドに接触することなくテープスタビライザとヘッドとの間で通過させるための巻戻し機構とをさらに備える。
【０００５】
また、テープパスを通じてテープリーダの接続場所を通過させるための方法が提供される。本方法は、第１のテープスタビライザおよび第２のテープスタビライザを別の方向にそれぞれ第１のヘッドおよび第２のヘッドから同時に遠ざけて、テープリーダの接続場所がヘッドに接触することなくヘッドを通り越して移動できるように、スタビライザとヘッドとの間に十分な間隔を空けることを備える。
【０００６】
代表的な実施形態が図示および開示されるが、これらの開示は請求項を限定すると解釈されるべきではない。本発明の範囲内で、さまざまな変形例および代替の設計が可能であると考えられる。
【図面の簡単な説明】
【０００７】
【図１】テープと共に使用され、複数のヘッドアセンブリと、複数のテープスタビライザ配列と、ヘッドアセンブリに対してスタビライザ配列を移動するための巻戻し機構とを備えるデータ記憶および検索システムの平面図である。
【図２】図１に示すヘッドアセンブリのうちの１つのヘッドアセンブリのヘッドを示す斜視図である。
【図３】動作位置でのスタビライザ配列を示す、図１のヘッドアセンブリおよびスタビライザ配列の拡大平面図である。
【図４】巻戻し位置でのスタビライザ配列を示す、図１のヘッドアセンブリおよびスタビライザ配列の拡大平面図である。
【図５】巻戻し機構の係合部材の部分斜視図である。
【発明を実施するための形態】
【０００８】
詳細な説明
本開示では、データ記憶および検索システムのさまざまな構成ならびにそのようなシステムを動作させるための方法について説明する。以下の説明および図１〜図５では、本開示に係る特定の実施形態についての完全な知識を提供するために、特定の実施形態のいくつかについて説明する。図面は必ずしも一定の縮尺である必要はなく、特定の構成要素の詳細を示すために誇張または縮小されている特徴もある。したがって、ここで開示される特定の構造的および機能的な詳細は限定的なものと解釈されるべきではなく、当業者に教示して本発明をさまざまに用いるための代表的な基準にすぎないと解釈すべきである。さらに、図面のうち任意の１つの図面を参照して図示および説明される実施形態の１つ以上の特徴を１つ以上の他の図面に示す１つ以上の特徴と組み合わせて明示的に図示または説明されていない実施形態を考案できることは、当業者であれば理解できるであろう。加えて、以下で説明される特定の特徴のうち１つ以上の特徴がなくても、他の実施形態を実施することができる。
【０００９】
図１は、本開示に係る、磁気テープまたは光学テープなどのテープ１２と使用される、テープドライブ１０としてのデータ記憶および検索装置を示す。テープ１２を任意の好適な方法で提供することができるが、図示された実施形態においては、テープ１２は、テープドライブ１０に対して差込みおよび取出し可能なテープカートリッジ１６のカートリッジリール１４によって提供される。
【００１０】
図１に示すテープドライブ１０は、テープカートリッジ１６を収容するように構成されたドライブシャーシまたは本体１８と、テープ１２に対して読出しおよび/または書込み動作を行なうための複数のヘッドアセンブリ２０（たとえば、第１のヘッドアセンブリ２０ａおよび第２のヘッドアセンブリ２０ｂ）とを備える。テープドライブ１０は、ドライブ本体１８によって支持される、テープ１２を収容するための回転可能な巻取リール２２と、テープ１２またはテープ１２に取り付けられたカートリッジリーダ２５に取り付け可能で、巻取リール２２に向けてテープ１２を移動するように構成されたテープリーダまたはドライブリーダ２４とをさらに備える。加えて、テープドライブ１０は、以下で詳細に説明するように、ヘッドアセンブリ２０ａおよび２０ｂを越えたテープ１２の移動を容易にするための複数のスタビライザアセンブリまたは配列２６（たとえば、第１のスタビライザ配列２６ａおよび第２のスタビライザ配列２６ｂ）と、ドライブリーダ２４および/またはスタビライザ配列２６と協動可能であり、ヘッドアセンブリ２０ａおよび２０ｂを越えたドライブリーダ２４の動きを容易にするための巻戻し機構２８とを備える。
【００１１】
各ヘッドアセンブリ２０ａ、２０ｂはドライブ本体１８に対して固定することが可能で、各々テープ１２に対するデータ（情報など）の読出しおよび/または書込みを行なうように構成されてもよい１つ以上のヘッド３０を備える。例示された実施形態では、各ヘッドアセンブリ２０ａ、２０ｂは複数のヘッド３０（たとえば、６つのヘッド３０）を備え、各ヘッド３０は光ビームまたはレーザー光を用いて読出しおよび/または書込み動作を行なうように構成された１つ以上のヘッド要素を有する光ピックアップユニット（ＯＰＵ）として形成される。図２を参照すると、たとえば、各ヘッド３０はそれぞれ上部および下部ヘッド要素などの第１のヘッド要素３２ａおよび第２のヘッド要素３２ｂを備えてもよい。各ヘッド要素は、レーザーダイオードなどのレーザー要素からレーザー光を受光する第１のレンズまたは対物レンズを備える。各ヘッド要素３２ａ、３２ｂは、テープ１２がヘッドアセンブリ２０ａ、２０ｂを越えて移動する際に、対応するヘッド３０がテープ１２の記録された部分のデータトラックを転記できるように、および/またはそのようなデータトラックからデータを検索できるように、レーザー光をテープへと向けるように構成されてもよい。
【００１２】
図１および図３を参照すると、各スタビライザ配列２６ａ、２６ｂは、スタビライザマウント３６などの移動可能な支持体に搭載される１つ以上のテープスタビライザ３４を備える。テープスタビライザ３４は、テープ１２のヘッド３０を越えた移動を容易にするように構成される。図３に示す実施形態では、たとえば、各スタビライザ配列２６ａ、２６ｂは各ヘッド３０のために２つのテープスタビライザ３４を備え、テープスタビライザ３４はテープ１２を支持することによってテープ１２の動きを安定させるように構成されている。さらに、テープスタビライザ３４は、テープ１２をヘッド３０に十分に近づけて位置決めして、ヘッド３０による読出しおよび/または書込み動作を十分に実現できるように構成されている。たとえば、各テープスタビライザ３４は、対応するヘッド３０から約０．３００ミリメータ（ｍｍ）〜０．３２０ｍｍ（たとえば、０．３１０ｍｍ）離してテープ１２を位置決めしてもよい。しかしながら、そのような間隔は、特定のスタビライザ配列２６ａ、２６ｂのテープスタビライザ３４と特定のヘッドアセンブリ２０ａ、２０ｂとの間でドライブリーダ２４および/またはカートリッジリーダ２５を通すには十分ではない可能性もある。
【００１３】
巻戻し機構２８を、第１のスタビライザ配列２６ａおよび第２のスタビライザ配列２６ｂをそれぞれ第１のヘッドアセンブリ２０ａおよび第２のヘッドアセンブリ２０ｂから遠ざけて、ドライブリーダ２４および/またはカートリッジリーダ２５の少なくとも一部をヘッド３０に接触することなくテープスタビライザ３４とヘッド３０との間で通すように構成することは有益である。たとえば、巻戻し機構２８は、第１のスタビライザ配列２６ａおよび第２のスタビライザ配列２６ｂが図１および図３に示す動作位置から図４に示す巻戻し位置に同時に移動させられるように、第１のスタビライザ配列２６ａおよび第２のスタビライザ配列２６ｂを異なる方向にそれぞれ第１のヘッドアセンブリ２０ａおよび第２のヘッドアセンブリ２０ｂから同時に遠ざけるように構成されてもよい。スタビライザ配列２６ａ、２６ｂが巻戻し位置にある場合、ドライブリーダ２４とカートリッジリーダ２５またはテープ１２との間の接続場所３８がテープスタビライザ３４とヘッド３０との間でヘッド３０に接触することなく通過できるように、各スタビライザ配列２６ａ、２６ｂと対応するヘッドアセンブリ２０ａ、２０ｂとの間に十分な空間が存在する。接続場所３８は、たとえば、カートリッジリーダ２５のスロットに嵌入するドライブリーダ２４上の接続ボタンによって形成されてもよい。
【００１４】
巻戻し機構２８は任意の好適な構成を有してもよいが、図３および図４に示す実施形態では、巻戻し機構２８は、第１のテープスタビライザアセンブリまたは配列２６ａおよび第２のテープスタビライザアセンブリまたは配列２６ｂと対応付けられたリンク４０（たとえば、タイバー）と、スタビライザ配列２６ａおよび２６ｂ（たとえば、テープスタビライザ３４）を移動するようにリンク４０を移動するためのモーターアセンブリ４２とを備える。モータータアセンブリ４２は、たとえば、回転可能な主ねじ４６に接続されたモーター４４を備えてもよく、主ねじ４６は、（たとえば、回転軸４９で）リンク４０が回動可能に取り付けられた、ねじ切りされたドライブ部材４８に収容されてもよい。そのような配列では、モーター４４は主ねじ４６を回転させてドライブ部材４８およびリンク４０を平行移動させるように、または他の態様で移動するように動作してもよく、リンク４０は、スタビライザ配列２６ａおよび２６ｂの両方を図３に示す動作位置と図４に示す巻戻し位置との間で移動してもよい。
【００１５】
図３および図４にさらに示すように、リンク４０および/またはドライブ部材４８は、主ねじ４６および/またはモーター４４の軸Ａの周りでのリンク部材４０およびドライブ部材４８の回転動作を抑制または防止するために、ドライブ本体１８と摺動可能に係合する１つ以上の凸部Ｐを備えてもよい。加えて、スタビライザマウント３６は、リンク４０に対して移動できるように、リンク４０に形成されたスロット５２に摺動可能に収容されるピン５０を用いてリンク４０上に摺動可能に搭載されてもよい。
【００１６】
テープドライブ１０は、巻戻し位置と動作位置との間でスタビライザマウント３６の動きを案内するために、スタビライザマウント３６またはスタビライザ配列２６ａおよび２６ｂの他の部分と協動可能な１つ以上のガイドの特徴を備えてもよい。図３および図４に示す実施形態では、たとえば、テープドライブ１０のドライブ本体１８は、スタビライザマウント３６の第１の端部またはその近傍で形成されたガイド部材５５（たとえば、ガイドピンおよびブッシュ）と係合可能な第１のガイドスロット５４ａおよび第２のガイドスロット５４ｂと、スタビライザマウント３６の第２の端部またはその近傍で形成されたガイド部材５７（たとえば、ガイドピン）と係合可能な第３のガイドスロット５６ａおよび第４のガイドスロット５６ｂとを備える。ガイドスロットは任意の好適な構成を有してよいが、図３および図４に示す実施形態では、第１のガイドスロット５４ａおよび第２のガイドスロット５４ｂの各々は、軸Ａに対して２５〜８０度の範囲の角度で延在する細長いスロットとして形成され、第３のガイドスロット５６ａおよび第４のガイドスロット５６ｂの各々は、軸Ａに対して１５〜５０度の範囲の角度で延在する細長いスロットとして形成される。さらに、第３のガイドスロット５６ａおよび第４のガイドスロット５６ｂは、それぞれ第１のガイドスロット５４ａおよび第２のガイドスロット５４ｂから間隔をおいて並べられ、第３のガイドスロット５６ａおよび第４のガイドスロット５６ｂの各々は、第１のガイドスロット５４ａおよび第２のガイドスロット５４ｂの各々よりも短い。たとえば、第３のガイドスロット５６ａおよび第４のガイドスロット５６ｂの各々は４〜６ミリメートル（ｍｍ）の範囲の長さを有してもよく、第１のガイドスロット５４ａおよび第２のガイドスロット５４ｂの各々は１１〜１３ｍｍの範囲の長さを有してもよい。
【００１７】
巻戻し機構２８は、第１の係合部材５８ａおよび第２の係合部材５８ｂをさらに備えてもよい。これらの部材は、第１のスタビライザ配列２６ａおよび第２のスタビライザ配列２６ｂがそれぞれ第１のヘッドアセンブリ２０ａおよび第２のヘッドアセンブリ２０ｂから遠ざけれらてドライブリーダ２４の少なくとも一部（たとえば、接続場所３８）をヘッド３０に接触させることなくヘッド３０のそばを通過させる時に、テープ１２、ドライブリーダ２４、および/またはカートリッジリーダ２５をヘッド３０から遠ざけるために、テープ１２、ドライブリーダ２４、および/または カートリッジリーダ２５とそれぞれ係合可能である。図４および図５を参照すると、第１の係合部材５８ａおよび第２の係合部材５８ｂは、それぞれスタビライザマウント３６の１つに支持されてこのスタビライザマウントと共に移動可能なピンとして形成してもよく、各ピンは、特定のヘッド３０に近接した第１の位置から第１の位置よりもヘッド３０から離れて配置された第２の位置へと移動可能になっている。したがって、スタビライザマウント３６またはスタビライザ配列２６ａおよび２６ｂの全体は、巻戻し機構２８の一部とみなすことができる。
【００１８】
次に、図１〜図５を参照して、テープドライブ１０の動作例をさらに詳細に説明する。まず、テープカートリッジ１６をテープドライブ１０に差し込み、ドライブリーダ２４を任意の好適な態様で（たとえば、リーダ２４、２５のうち一方にある接続ボタンを、リーダ２４、２５のうち他方のスロットまたは別の開口に差し込めばよい）、接続場所３８においてカートリッジリーダ２５に接続してもよい。次に、ドライブリーダ２４を使用してカートリッジリーダ２５およびテープ１２をテープドライブ１０のテープパス６０に沿って引っ張ってもよい。たとえば、巻取リール２２の回転によってドライブリーダ２４がローラーなどのさまざまなガイド部材に沿って巻取リール２２に向けてカートリッジリーダ２５およびテープ１２を引っ張るように、または、他の態様でそれらを移動するように、ドライブリーダ２４を巻取リール２２に接続してもよい。
【００１９】
しかし、ドライブリーダ２４とカートリッジリーダ２５との間の接続場所３８がヘッドアセンブリ２０ａおよび２０ｂによって移動される前は、巻戻し機構２８を、図４に示す巻戻し位置にスタビライザ配列２６ａおよび２６ｂを移動するように動作させればよい。たとえば、モーター４４を使用して主ねじ４６を第１の方向に回転させて、ドライブ部材４８およびリンク４０を平行移動、または他の態様でモーター４２に向かって移動すればよい。その結果、リンク４０は、テープスタビライザ３４がテープパス６０から遠ざかるように、スタビライザ配列２６ａおよび２６ｂを旋回、または、他の態様でドライブ本体１８に対して図１および図３に示す動作位置から図４に示す巻戻し位置に移動する。さらに、スタビライザ配列２６ａおよび２６ｂとガイドスロット５４ａ、５４ｂ、５６ａ、５６ｂとの間の相互作用によって、スタビライザ配列２６ａ、２６ｂの移動が容易になる。
【００２０】
以上の構成では、ドライブリーダ２４の接続場所３８がヘッド３０に接触することなくヘッド３０を通り越して移動することができるように、モーター４４を使用してスタビライザ配列２６ａおよび２６ｂの両方を異なる方向にそれぞれ第１ヘッドアセンブリ２０ａおよび第２ヘッドアッセンブリ２０ｂから遠ざけて、スタビライザ３４とヘッド３０との間に十分な間隔を空けるとよい。ただ１つのモーターおよび対応付けられたドライブ機構を使用することによって、テープドライブ１０のサイズおよびコストを最小限に抑えることができる。加えて、スロットを設けられ、旋回可能に搭載されたリンク４０をガイドスロット５４ａ、５４ｂ、５６ａ、５６ｂと連動して使用することによって、ドライブ１０は、対応付けられた部品の公差のばらつきを勘案するために十分な自由度を持たせる。
【００２１】
スタビライザ配列２６ａおよび２６ｂを巻戻し位置に向けて移動すると、第１の係合部材５８ａおよび第２の係合部材５８ｂは、第１のスタビライザ配列２６ａおよび第２のスタビライザ配列２６ｂがそれぞれ第１のヘッドアセンブリ２０ａおよび第２のヘッドアセンブリ２０ｂから遠ざかる際に、ドライブリーダ２４、カートリッジリーダ２５、および/またはテープ１２が特定のヘッドアセンブリ２０ａ、２０ｂのヘッド３０から遠ざかるように、ドライブリーダ２４、カートリッジリーダ２５、および/またはテープ１２と係合してもよい。リーダ２４および２５ならびに対応する接続場所３８をヘッド３０から遠ざけることにより、摩耗および破片を最小限にすることができ、ヘッド３０を損傷する可能性を大幅に削減することができる。
【００２２】
例示された実施形態では、第１の係合部材５８ａおよび第２の係合部材５８ｂはそれぞれ第１のＬ字型支持体６２ａおよび第２のＬ字型支持体６２ｂに取り付けられ、各支持体は特定のスタビライザマウント３６に搭載される。このような構成では、ヘッド３０およびスタビライザ３４に対する接続場所３８の所望の位置は、スタビライザ配列２６ａおよび２６ｂが巻戻し位置にある時に維持され得る。さらに、ドライブリーダ２４が対応するヘッドアセンブリ２０ａまたは２０ｂとテープスタビライザ３４との間に配設されている場合に、特定のスタビライザ配列２６ａまたは２６ｂに対して、対応する係合部材５８ａまたは５８ｂおよびテープスタビライザ３４はドライブリーダ２４の両側に位置決めされる。
【００２３】
ドライブリーダ２４および/またはカートリッジリーダ２５（たとえば、接続場所３８）の所望の部分がヘッドアセンブリ２０ａおよび２０ｂを通り越して移動した後は、ヘッドアセンブリ２０ａおよび２０ｂを使用してテープ１２に対する読出しおよび/または書込み動作が行えるように、巻戻し機構２８は、スタビライザ配列２６ａおよび２６ｂを図１および図３に示す動作位置に戻すように移動するように動作されてもよい。たとえば、ドライブ部材４８およびリンク４０が平行移動するようにまたは他の態様でモーター４４から遠ざかるように、モーター４４は、主ねじ４６を第１の方向の反対の第２の方向に回転するように動作されてもよく、これによって、リンク４０がスタビライザ配列２６ａおよび２６ｂを旋回、または他の態様でドライブ本体１８に対して動作位置まで移動する。
【００２４】
本明細書ではデータ記憶および検索システムならびにテープ媒体および回転ヘッドを利用した方法の特定の実施形態について説明したが、これらは例示に過ぎず、これらの実施形態は、可能なすべての実施形態について述べているわけではない。そうではなく、本明細書で使用される用語は、限定ではなく説明を行なうための用語であって、本発明の精神および範囲内で、さまざまな変更が可能であると理解される。
【図１】
0006545793.tif 000002
【図２】
0006545793.tif 000003
【図３】
0006545793.tif 000004
【図４】
0006545793.tif 000005
【図５】
0006545793.tif 000006